(57)【特許請求の範囲】
【請求項１】
電気式線香として用いられる香油蒸散器であって、
線香に似せた円筒形状の疑似線香である蒸散体と、
前記蒸散体の下端に接続され、その内部に香油を収容することができる容器と、
前記蒸散体の内部から前記容器の内部まで配置され、前記香油を吸い上げることができる吸い上げ材料と、
前記吸い上げ材料の少なくとも上端部を、前記香油の沸点より高い温度となるように加熱する加熱手段とを備えた、香油蒸散器。
【請求項２】
前記加熱手段は、更に前記蒸散体自身を加熱する、請求項１記載の香油蒸散器。
【請求項３】
前記蒸散体は導電性材料より構成され、
前記加熱手段は、前記蒸散体の下方部に接続された第１の導電線と、前記蒸散体の下方部からその内部に沿って上方まで配置され、前記吸い上げ材料の上方部に位置するコイル部を介して前記蒸散体の上方部に接続された第２の導電線と、前記第１の導電線及び前記第２の導電線に所定電圧を印加しうる電圧印加手段とからなる、請求項２記載の香油蒸散器。
【請求項４】
前記加熱手段は、前記蒸散体の下方部からその内部に沿って上方まで配置される第１の導電線と、前記蒸散体の下方部からその内部に沿って上方まで配置され、前記吸い上げ材料の上方部に位置するコイル部を介して前記第１の導電線に接続された第２の導電線と、前記第１の導電線及び前記第２の導電線に所定電圧を印加し得る電圧印加手段とからなる、請求項１記載の香油蒸散器。
【請求項５】
前記吸い上げ材料の位置を前記コイル部に対して上下に調整し得る吸い上げ調整手段を更に備えた、請求項３又は請求項４に記載の香油蒸散器。
【発明の詳細な説明】
【０００１】
【発明の属する技術分野】
この発明は香油蒸散器に関し、特にアロマセラピーに利用したり、あるいは線香の代用として用いたりする香油蒸散器に関するものである。
【０００２】
【従来の技術】
図６は特開平７−８００５４号公報に開示されている蒸散器及びこれを備えた線香器の概略構造を示した斜視図である。
【０００３】
図を参照して、線香立６８の上面に取り付けられた取付基板６２から３本の疑似線香６１が上方に突出している。又取付基板６２の中央に形成された開口６４に吸上芯６５が露出している。
【０００４】
使用時においては取付基板６２に設けられたスイッチ６７を入れると、疑似線香６１の先端の先端部７０においてその内部に設けられたランプが点灯すると共に、吸上芯６５下部に収納された香油が吸上芯６５が加熱されて周囲に発散する。これによって、あたかも実際の線香を焚いているようにして利用することが可能となる。
【０００５】
【発明が解決しようとする課題】
上記のような従来の線香器にあっては、疑似線香６１の先端部７０が点灯状態となると共に、吸上芯６５から線香の燃焼時に似た香りを発散させているが、実際の線香の燃焼状態の雰囲気とは大きく異なるものである。
【０００６】
すなわち、実際の線香を使用した場合では、その先端が燃焼して煙を生じると共に、そこから香りが発散するものである。しかし、実際の線香や芳香器のように燃焼させると、ホテル等の消防法で禁止されている区域での使用ができないため、燃焼させることなく同様の効果を奏する香油蒸散器があると有用性が高い。又、これをアロマセラピー等に用いる香油蒸散器として用いた場合でも、その香りが発散する様を煙のように目視できたほうがより効果的である。
【０００７】
この発明は上記のような課題を解決するためになされたもので、燃焼させることなく、香油の発散される様を目視できる香油蒸散器を提供することを目的とする。
【０００８】
【課題を解決するための手段】
上記の目的を達成するために、請求項１記載の発明は、電気式線香として用いられる香油蒸散器であって、線香に似せた円筒形状の疑似線香である蒸散体と、蒸散体の下端に接続され、その内部に香油を収容することができる容器と、蒸散体の内部から容器の内部まで配置され、香油を吸い上げることができる吸い上げ材料と、吸い上げ材料の少なくとも上端部を、香油の沸点より高い温度となるように加熱する加熱手段とを備えたものである。
【０００９】
このように構成すると、容器に収容された香油が加熱手段の加熱によって線香に似せた蒸散体の先端から湯気となって気化する。
【００１２】
請求項２記載の発明は、請求項１記載の発明の構成において、加熱手段は更に蒸散体を加熱するものである。
【００１３】
このように構成すると、香油の気化がより促進される。
【００１４】
請求項３記載の発明は、請求項２記載の発明の構成において、蒸散体は導電性材料より構成され、加熱手段は蒸散体の下方部に接続された第１の導電線と、蒸散体の下方部からその内部に沿って上方まで配置され、吸い上げ材料の上方部に位置するコイル部を介して蒸散体の上方部に接続された第２の導電線と、第１の導電線及び第２の導電線に所定電圧を印加し得る電圧印加手段とからなるものである。
【００１５】
このように構成すると、蒸散体が通電によって発熱すると共に第２の導電線が蒸散体の外部から視認されることはない。
【００１６】
請求項４記載の発明は、請求項１記載の発明の構成において、加熱手段は蒸散体の下方部からその内部に沿って上方まで配置される第１の導電線と、蒸散体の下方部からその内部に沿って上方まで配置され、吸い上げ材料の上方に位置するコイル部を介して第１の導電線に接続される第２の導電線と、第１の導電線及び第２の導電線に所定電圧を印加し得る電圧印加手段とからなるものである。
【００１７】
このように構成すると、第１の導電線及び第２の導電線のいずれも蒸散体の外部から視認されることはない。
【００１８】
請求項５記載の発明は、請求項３又は請求項４に記載の発明の構成において、吸い上げ材料の位置をコイル部に対して上下に調整し得る吸い上げ調整手段を更に備えたものである。
【００１９】
このように構成すると、吸い上げ材料の上下の位置によって香油の気化の程度が変化する。
【００２０】
【発明の効果】
以上説明したように、請求項１記載の発明は、香油が蒸散体の先端から湯気となって気化するので、湯気が目視できると共に香りが発散するため効果的な香油の蒸散となる。又、香油が線香に似せた蒸散体の先端から湯気となって気化するので、湯気があたかも線香の燃焼時の煙のように視認される。更に、香油の成分によって線香の燃焼時と同等の匂いを発散させるように構成することができる。そして、これらが疑似線香の先端から生じるので、あたかも本物の線香を用いているように感じられると共に、手軽に利用でき、且つ火災等の心配がない。
【００２２】
請求項２記載の発明は、請求項１記載の発明の効果に加えて、香油の気化がより促進されるため、加熱の開始と共に迅速に湯気が発生する。
【００２３】
請求項３記載の発明は、請求項２記載の発明の効果に加えて、効果的に香油の気化が促進されると共に、第２の導電線が外方に現れないため、すっきりとした構造となる。
【００２４】
請求項４記載の発明は、請求項１記載の発明の効果に加えて、第１導電線及び第２導電線のいずれも外方に現れないため、すっきりとした構造となる。又、蒸散体は導電性の材料より構成する必要はないため、材料の選択の幅が広がる。
【００２５】
請求項５記載の発明は、請求項３又は請求項４記載の発明の効果に加えて、香油の気化の程度を変化させることができるため、設置場所の雰囲気温度等に合わせて所望の湯気の量を自在に得ることができるため、より効果的な目視効果と香りの発散とが可能となる。
【００２６】
【発明の実施の形態】
図１はこの発明の第１の実施の形態による香油蒸散器の一例としての電気式線香の概略構造を示した斜視図であり、図２は図１のＩＩ−ＩＩラインの断面図であり、図３は図２の“Ｘ”部分の拡大図である。
【００２７】
これらの図を参照して、電気式線香１１はその外観上は脚１９を備えた壷状の線香立１８と、線香立１８の上方の平坦部３１に着脱自在に取り付けられ、その平坦面３３に灰１７が収納された上蓋１６と、上蓋１６のほぼ中央から灰１７を介して上方に突出した蒸散体としての疑似線香１３とから構成されている。疑似線香１３は導電性材料よりなる直径３ｍｍ程度の円筒形状のヒューム管２３が用いられている。又、疑似線香１３の胴部１４は実際の線香に似せた色合に仕上げられており、その先端部１５は実際の燃焼状態に合わせた色合に仕上げられている。
【００２８】
尚、線香立１８の側面にはこの電気式線香１１の使用時に際して用いるスイッチ２１が取り付けられている。線香立１８の内部には図２に示されているように、その底面４０に電池収納部４１が設けられており、その内部に電池４３が収納されている。電池収納部４１の内部の上面には、香油３８を収納した容器３５が設置されている。香油３８は例えばエーテル、ベンジン及び香料を所定量混合したものであり、その沸点は約６０℃となるように調整されている。
【００２９】
ヒューム管２３は上蓋１６の平坦面３３を貫通すると共にそれに固定され、更に下方に伸びて容器３５の上面３６をも貫通して、容器３５内部にその端部が位置する状態に設置されている。図３に示されているように、ヒューム管２３内部には香油３８を吸い上げることができる吸い上げ材料となるガラス繊維２４が配置されており、このガラス繊維２４の下端は容器３５の底面近くまで達するように配置されている。すなわち、ガラス繊維２４の下方部は容器３５に収納されている香油３８に浸されることになる。
【００３０】
これによって香油３８は毛細管現象によってガラス繊維２４内を上方に吸い上げられることになる。一方、ヒューム管２３の内部には導電線となるニッケル線４８が下方から上方に配置され、通電によって発熱するコイル部４９を介してヒューム管２３の上方部に接続されている。又線香立１８の内部にはヒューム管２３の下部とスイッチ２１との間、スイッチ２１と電池収納部４１との間、及び電池収納部４１とヒューム管２３の下部との間に配線４５が配置されている。
【００３１】
図４はこの発明の第１の実施の形態による電気式線香の通電状態を説明するための概略回路図である。
【００３２】
図を参照して、スイッチ２１を介して一方側に伸びる配線４５としての第２の導電線５２はヒューム管２３の下方部を貫通してその内部に入り、ヒューム管２３の内面に沿って上昇し、コイル部４９を介してヒューム管２３の上端部に接続する。一方、スイッチ２１の反対方向に伸びる配線４５の第１の導電線５１は、電池４３を介してヒューム管２３の下方部であって、容器３５の上面３６の上方位置でヒューム管２３に接続する。
【００３３】
次にこの回路図に基づいて電気式線香１１の使用状態について説明する。
【００３４】
使用に際しては、まず上蓋１６を線香立１８からヒューム管２３と共に取外す。そして、香油３８が充填された容器３５を線香立１８の電池収納部４１上に設置する。あるいは、使用によって香油３８の残量が少なくなっている場合、その容器３５に新たな香油３８を充填する。
【００３５】
次に、上蓋１６を線香立１８上に取り付けるが、この時上蓋１６と共に取り外されたヒューム管２３の下端が容器３５の内部に挿入されるように設置する。従って、ヒューム管２３内に収納されているガラス繊維２４の下方部は、容器３５内の香油３８に浸された状態となる。すると、香油３８は毛細管現象によってガラス繊維２４内を吸い上げられて上昇する。このようにして電気式線香１１の使用前の準備が完了する。
【００３６】
そして使用の際には線香立１８の胴部に設けられているスイッチ２１をオンとする。これによって電池収納部４１に収納されている電池４３の電圧が第１の導電線５１及び第２の導電線５２に印加される。
【００３７】
このときヒューム管２３は上述のように導電性材料より構成され、その上部には第２の導電線５２がコイル部４９を介して接続され、ヒューム管２３の下部には第１の導電線５１が接続されている。従って、電池４３によって印加された電圧による電流が第１の導電線５１、ヒューム管２３、コイル部４９及び第２の導電線５２を経由して流れることになる。
【００３８】
この電流によってコイル部４９は発熱し、その付近の温度は約１２０℃に上昇する。そのため、ガラス繊維２４に毛細管現象によって吸い上げられた香油３８は、その沸点が６０℃であるためガラス繊維２４の先端から湯気となって蒸発する。この蒸発した湯気は、ヒューム管２３の先端からあたかも線香を燃焼しているような煙に似た状態で発散されることになる。
【００３９】
尚、この時ヒューム管２３に対しても電流が流れているため、その抵抗によってヒューム管２３自体も発熱し、ガラス繊維２４に含まれている香油３８の蒸発をより促進することになる。
【００４０】
電気式線香１１の使用を終了する場合には、スイッチ２１をオフとする。これによって電池４３の電圧印加による電流の流れが遮断される。その結果、コイル部４９の加熱状態は解消され、ヒューム管２３の加熱状態も同様に解消してそれらは常温状態となる。これによってガラス繊維２４からの香油３８の蒸発は停止され、ヒューム管２３から煙のように発生していた湯気の生成も停止される。
【００４１】
このように、この電気式線香１１であれば、スイッチ２１のオン・オフによって直ちに疑似線香１３からの煙(湯気)の発生を制御することができる。そして、疑似線香１３の先端から湯気と共に香油３８の線香の燃焼時の香りに似せた香りも発散されるため、あたかも本当の線香が燃焼しているような状態となる。
【００４２】
図５はこの発明の第２の実施の形態による香油蒸散器としての電気式線香の回路構成を示した図である。
【００４３】
図を参照して、この実施の形態においては、疑似線香１３は非導電性の合金材料等より構成されている。そしてスイッチ２１のオンによって電池４３の電圧が印加される第１の導電線５１は、ヒューム管２３内部に挿入されその内面に沿って上昇している。一方、スイッチ２１のオンによって電池４３の電圧が印加される第２の導電線５２も同様に疑似線香１３内に挿入され、その内面を上昇しコイル部４９を介して第１の導電線５１に接続されている。このように第１の導電線５１及び第２の導電線５２はいずれも疑似線香１３内に配線されるため、疑似線香１３の外部からはそれらは目視されることはない。
【００４４】
使用時にあっては、先の実施の形態と同様に容器３５及び疑似線香１３を準備した状態でスイッチ２１をオンとする。これによって電池４３の電圧の印加によって第１の導電線５１、コイル部４９及び第２の導電線５２へと電流が流れる。その結果コイル部４９の周りは加熱されて温度が上昇し、ガラス繊維２４内に吸い上げられた香油３８が湯気となって疑似線香１３から発生する。そして使用を終了するためにスイッチ２１をオフすることによってコイル部４９に流れる電流は遮断され、その周りは常温状態に戻ることになる。これによってガラス繊維２４からの香油３８の湯気の発生は停止する。
【００４５】
この実施の形態においては、先の実施の形態のように疑似線香１３自体に電流を流していないため、この発熱効果を利用することはできないが、疑似線香１３は導電性材料以外の材料を採用することが可能となるため、その選択の余地が広がる。
【００４６】
尚、上記の各実施の形態においては疑似線香１３内に格納されているガラス繊維２４の位置は固定としているが、この位置を上下に調整できるような調整手段を別途設けることが有用である。すなわち、ガラス繊維２４の先端位置をコイル部４９に対して近づけたり遠ざけたりすることによって同じコイル部４９の発熱量であっても、ガラス繊維２４に含まれている香油３８の蒸発量を制御できるからである。このようにすると、電気式線香１１を使用する雰囲気温度等の変化にあっても、所望の量の湯気を疑似線香１３から発生させることが容易となり使い勝手が向上する。
【００４７】
又、上記の香油蒸散器の一例として電気式線香を実施の形態としているため蒸散体としての擬似線香は円筒形状としているが、香油蒸散器としての蒸散体の形状はこれに限らず四角筒形状等の他の筒形状のものを採用しても良い。
【００４８】
更に、上記の実施の形態では、香油を吸い上げる吸い上げ材料としてガラス繊維を用いているが、ガラス繊維以外の例えばミクロム伸線等の他の材料を用いても良い事は言うまでもない。
【００４９】
更に、上記の実施の形態では、擬似線香の下端は容器内部の上方部までとなっているが、ガラス繊維と共に容器内部の底面近くまで伸ばすように構成しても良い。
【００５０】
更に、上記の実施の形態では、香油の沸点を約６０℃、コイル部周りの加熱後の温度を約１２０℃としているが、香油の気化を促進できるものであればこれ以外の温度の組み合わせであっても良い事は言うまでもない。
【００５１】
更に、上記の実施の形態では、加熱手段を電池を用いたものとしているが、これに代えてコンセントからの電源供給によって加熱するように構成しても良い。
【図面の簡単な説明】
【図１】この発明の第１の実施の形態による香油蒸散器としての電気式線香の概略構成を示した斜視図である。
【図２】図１のＩＩ−ＩＩラインの断面構造図である。
【図３】図２の“Ｘ”部分の拡大図である。
【図４】この発明の第１の実施の形態による香油蒸散器の回路構成を示す概略図である。
【図５】この発明の第２の実施の形態による香油蒸散器の回路構成を示す概略図である。
【図６】従来の電気式線香の概略構成を示した斜視図である。
【符号の説明】
１１…電気式線香
１３…疑似線香
２３…ヒューム管
２４…ガラス繊維
３５…容器
３８…香油
４３…電池
４５…配線
４８…ニッケル線
４９…コイル部
５１…第１の導電線
５２…第２の導電線
尚、各図中同一符号は同一又は相当部分を示す。
【図１】
0003666855.tif 000002
【図２】
0003666855.tif 000003
【図３】
0003666855.tif 000004
【図４】
0003666855.tif 000005
【図５】
0003666855.tif 000006
【図６】
0003666855.tif 000007